(57)【要約】【課題】用紙束を簡単に綴じ込み、綴じた用紙束の脱落を防止することのできる構造の簡単な装丁用ブックカバーを提供する。【解決手段】装丁用ブックカバー１０は、クリップ本体１８と、ストッパー２０から構成された用紙綴じ込み用クリップ１２を備えている。クリップ本体１８には、溝内側へ向けて突出する突起部３０を設けた溝部２８を備えている。用紙束２２の一辺側をステープル針４０で綴じ、これをクリップ本体１８の長手方向一端側から溝部２８に挿入する。用紙束２２の両面側に突出したステープル針４０が突起部３０に引っ掛かり、用紙束２２が溝部２８から溝開口方向へ脱落することを防止できる。また、溝部２８に用紙束２２を挿入した後、ストッパー２０を溝部２８の長手方向端部に係合する。これにより溝部２８に挿入した用紙束２２は所定の位置に保持され、クリップ本体１８の長手方向両端から脱落することが防止される。【選択図】　　　　図１
2004136589.tif 000002
【特許請求の範囲】
【請求項１】
複数枚の積層された用紙からなる用紙束の１辺付近を挿入可能な溝部と、前記溝部の互いに対向する両溝壁面の少なくとも一方に溝長手方向に沿って設けられ前記溝部の開口付近から溝中央側へ突出する突起部とを備えた長尺状のクリップ本体と、
前記クリップ本体の長手方向端部付近に係合して前記溝部に挿入された前記用紙束の溝長手方向の移動を阻止するストッパーと、
を有することを特徴とする用紙綴じ込み用クリップ。
【請求項２】
前記ストッパーは、弾性変形可能な連結部を介して前記クリップ本体と一体的に連結している、ことを特徴とする請求項１に記載の用紙綴じ込み用クリップ。
【請求項３】
請求項１または請求項２に記載の用紙綴じ込み用クリップと、
前記用紙綴じ込み用クリップに連結され、前記用紙束の表面を覆う表表紙と、前記用紙束の裏面を覆う裏表紙と、を有することを特徴とする装丁用ブックカバー。
【発明の詳細な説明】
【０００１】
【発明の属する技術分野】
本発明は、用紙綴じ込み用クリップ、及び装丁用ブックカバーに係り、特に、複数枚の積層された用紙からなる用紙束を簡単に綴じ込むことのできる、用紙綴じ込み用クリップ、及び装丁用ブックカバーに関する。
【０００２】
【従来の技術】
従来より、複数枚の積層された用紙からなる用紙束の一辺側を綴じ、綴じ代を長尺状のクリップで挟み込むホルダーが知られている（特許文献１）。
【０００３】
このホルダーは、多数枚の台紙を綴じるホルダー本体と、ホルダー本体の一側縁に装着されるクリップを備えている。
【０００４】
このホルダーでは、クリップの長手方向一端側を、ホルダー本体の綴じ代の長手方向一端側に向け、クリップの一対の挟持片間に入り込ませてスライド操作し、ホルダー本体とクリップとを係合させている。
【０００５】
【特許文献１】
特開平９−１５０５４９号公報
【０００６】
【発明が解決しようとする課題】
しかしながら、上記従来のホルダーでは、クリップとホルダー本体とが摩擦力で係止されているため、クリップの装着が完了した後でも、クリップとホルダー本体とがクリップ長手方向にずれてしまい、クリップから用紙束（ホルダー本体）が脱落（分離）する虞がある。
【０００７】
本発明は、上記問題を解決すべく成されたもので、用紙束を簡単に綴じ込むことができ、綴じた用紙束の脱落を防止することのできる構造の簡単な用紙綴じ込み用クリップ、及び装丁用ブックカバーを提供することが目的である。
【０００８】
【課題を解決するための手段】
上記目的を達成するために請求項１に記載の用紙綴じ込み用クリップは、複数枚の積層された用紙からなる用紙束の１辺付近を挿入可能な溝部と、前記溝部の互いに対向する両溝壁面の少なくとも一方に溝長手方向に沿って設けられ前記溝部の開口付近から溝中央側へ突出する突起部とを備えた長尺状のクリップ本体と、前記クリップ本体の長手方向端部付近に係合して前記溝部に挿入された前記用紙束の溝長手方向の移動を阻止するストッパーと、を有することを特徴としている。
【０００９】
次に、請求項１に記載の用紙綴じ込み用クリップの作用を説明する。
【００１０】
先ず、複数枚の用紙を積層した用紙束は、一辺側を、例えば、ステープラー（別名：ホッチキス）のコ字状のステープル針（ホッチキス針）で綴じる。
【００１１】
次に、ステープル針で綴じた用紙束の一辺側を、クリップ本体の溝部に溝長手方向端部から挿入する。
【００１２】
用紙束の一辺側では、一方の面にステープル針の中間部分、他方の面にステープル針の屈曲した両脚部が突出しているので、ステープル針の突出した部分を溝壁面に設けられた突起部に引掛けて、用紙束が溝部から溝開口方向へ脱落することを防止できる。
【００１３】
ここで、溝部に用紙束の一辺側を溝部に挿入した状態では、用紙束は溝部を長手方向に移動可能となっているが、ストッパーをクリップ本体の長手方向端部付近（両側）に係合することで、用紙束の溝長手方向の移動を阻止し、用紙束の溝長手方向端部からの脱落を防止することができる。
【００１４】
請求項２に記載の発明は、請求項１に記載の用紙綴じ込み用クリップにおいて、前記ストッパーは、弾性変形可能な連結部を介して前記クリップ本体と一体的に連結している、ことを特徴としている。
【００１５】
次に、請求項２に記載の用紙綴じ込み用クリップの作用を説明する。
【００１６】
ストッパーを連結部を介してクリップ本体と一体的に連結しているので、小さなストッパーを紛失する心配が無くなる。
【００１７】
請求項３に記載の装丁用ブックカバーは、請求項１または請求項２に記載の用紙綴じ込み用クリップと、前記用紙綴じ込み用クリップに連結され、前記用紙束の表面を覆う表表紙と、前記用紙束の裏面を覆う裏表紙と、を有することを特徴としている。
【００１８】
次に、請求項３に記載の装丁用ブックカバーの作用を説明する。
【００１９】
請求項３に記載の装丁用ブックカバーでは、用紙綴じ込み用クリップに綴じ込んだ用紙束の表面を表表紙で覆い、用紙束の裏面を裏表紙で覆うことができる。
【００２０】
したがって、本発明の装丁用ブックカバーを用いることで、容易に製本を行うことができる。
【００２１】
【発明の実施の形態】
［第１の実施形態］
以下、図面を参照して本発明の装丁用ブックカバーの第１の実施形態を詳細に説明する。
【００２２】
図１に示すように、本実施形態の装丁用ブックカバー１０は、用紙綴じ込み用クリップ１２と、表表紙１４、及び裏表紙１６を備えている。
【００２３】
図２、及び図３に示すように、用紙綴じ込み用クリップ１２は、クリップ本体１８と、ストッパー２０から構成されている。
【００２４】
クリップ本体１８は、後述する用紙束２２の綴じ代部分の長さに略相当する長さに形成され、基部２４の幅方向両側に側壁部２６が一体的に立設されて、断面が略コ字状を呈している。
【００２５】
本実施形態のクリップ本体１８、及びストッパー２０は、合成樹脂等で形成されているが、金属等で形成しても良い。
【００２６】
また、断面が略コ字状を呈したクリップ本体１８は、押出成形等により安価に提供することができる。
【００２７】
基部２４と２つの側壁部２６との間は、後述する用紙束２２の一辺側を挿入可能な溝部２８とされている。
【００２８】
側壁部２６の溝開口側の端部には、溝内側へ向けて突出する突起部３０が一体的に設けられている。
【００２９】
また、それぞれの側壁部２６には、長手方向両端付近に角孔３２が形成されている。
【００３０】
図３に示すように、ストッパー２０は、溝部２８の長手方向端部に挿入可能な大きさに形成された矩形状の基部３４を備えている。
【００３１】
基部３４の両端付近には、弾性変形可能な厚さに形成された側壁部３６が一体的に立設している。
【００３２】
側壁部３６の先端側には、外側に傾斜面３８Ａを有する三角形状の引掛け部３８が一体的に形成されている。
【００３３】
ここで、一方の引掛け部３８の外端部３８Ｂと、他方の引掛け部３８の外端部３８Ｂとの間隔Ｐは、溝部２８の幅Ｗよりも若干大きく設定されている。
【００３４】
なお、表表紙１４、及び裏表紙１６は、接着剤等でクリップ本体１８の外面に接着されている。
（作用）
次に、本実施形態の装丁用ブックカバー１０を用いた製本工程を説明する。
【００３５】
先ず、図４（Ａ），（Ｂ）に示すように、複数枚の用紙を積層した用紙束２２の一辺側の複数箇所をステープラー（図示せず）のコ字状のステープル針４０で綴じる。
【００３６】
用紙束２２をステープル針４０で綴じると、図４（Ｂ）に示すように、用紙束２２の一方の面にステープル針４０の中間部分４０Ａが、他方の面にステープル針４０の両脚部４０Ｂがステープル針４０の厚さ分突出する。
【００３７】
次に、図１に示すようにステープル針４０で綴じた用紙束２２の一辺側をクリップ本体１８の長手方向一端側に配置し、クリップ本体１８の長手方向一端側から溝部２８に挿入する。
【００３８】
前述したように、用紙束２２の両面側にステープル針４０が突出しているので、図５に示すように用紙束２２の一辺側がクリップ本体１８の溝部２８に挿入されると、ステープル針４０の突出した部分（中間部分４０Ａ、及び両脚部４０Ｂの折り曲げ部分）が突起部３０に引っ掛かるので、用紙束２２が溝部２８から溝開口方向（矢印Ａ方向）へ脱落することを防止できる。
【００３９】
なお、用紙束２２の厚さＤ（図５参照）は、突起部３０と突起部３０との間隔Ｓ（図３（Ａ）参照）と略同等に設定し、ステープル針４０が必ず突起部３０に引っ掛かるようにする必要がある。
【００４０】
このため、図６に示すように、用紙束２２の厚さＤが、突起部３０と突起部３０の間隔Ｓよりも極端に薄い場合等では、用紙束２２の一辺に沿ってあて紙（厚紙等）４２等を配置し、ステープル針４０にて用紙束２２とあて紙４２とを同時に綴じて厚さの調整を行う。
【００４１】
溝部２８に用紙束２２の一辺側を挿入したのみでは、用紙束２２が溝部２８の内部を長手方向に移動してしまうため、この移動を阻止する必要がある。
【００４２】
本実施形態では、溝部２８に用紙束２２の一辺側を挿入した後、図３（Ａ）に示すように、引掛け部３８をクリップ本体１８の長手方向端部に向けてストッパー２０を溝部２８の長手方向端部から溝内へ挿入する。
【００４３】
ストッパー２０の挿入の際、引掛け部３８は溝部２８の内側面に押されて側壁部３６は内側へ弾性変形し、引掛け部３８が角孔３２に面すると、側壁部３６は元に戻って引掛け部３８が角孔３２の端部に引っ掛かる。
【００４４】
このため、ストッパー２０が、溝部２８の端部から溝長手方向外側（矢印Ｂ方向）へ抜け出ることが防止され、図７に示すように、溝部２８に挿入した用紙束２２は所定の位置に保持され、クリップ本体１８の長手方向両端部から脱落することが防止される。
【００４５】
なお、本実施形態の表紙を有する装丁用ブックカバー１０の用途としては、書籍、ファイル、アルバム等を上げることができる。
［第２の実施形態］
次に、本発明の装丁用ブックカバーの第２の実施形態を詳細に説明する。なお、第１の実施形態と同一構成には同一符号を付し、その説明は省略する。
【００４６】
図８に示すように、本実施形態の用紙綴じ込み用クリップ１２では、クリップ本体１８と、ストッパー２０とが、薄肉に形成されて弾性変形可能とされた連結部４４を介して一体的に連結されている。
【００４７】
本実施形態のストッパー２０は、側壁部３６、及び引掛け部３８のみが溝部２８内に挿入されるように構成されている。
【００４８】
なお、図８（Ｂ）は、側壁部３６、及び引掛け部３８が溝部２８に挿入され、引掛け部３８が角孔３２に係合した状態を示している。
【００４９】
このように、ストッパー２０をクリップ本体１８に連結部４４を介して連結することにより、小さなストッパー２０を紛失する心配がなくなる。
［その他の実施形態］
上記実施形態では、複数枚の用紙をステープル針４０で綴じて用紙束２２としたが、本発明はこれに限らず、少なくとも用紙束２２の両面側に引掛け用の突起が形成されれば良く、例えば、ハトメ、リベット等の他の綴じ部材で用紙を綴じても良い。
【００５０】
また、上記実施形態では、用紙綴じ込み用クリップ１２に表表紙１４、及び裏表紙１６を取り付けて用紙束２２を綴じる例を示したが、場合によっては、用紙綴じ込み用クリップ１２のみで用紙束２２を綴じても良い。
【００５１】
なお、表紙の無い用紙綴じ込み用クリップ１２の用途としては、カレンダー等を上げることが出来る。
【００５２】
【発明の効果】
以上説明したように本発明の用紙綴じ込み用クリップ、及び装丁用ブックカバーによれば、用紙束を簡単に綴じ込むことができ、綴じた用紙束の脱落を確実に防止することができる、という優れた効果を有する。
【図面の簡単な説明】
【図１】装丁用ブックカバーの斜視図である。
【図２】用紙綴じ込み用クリップの分解斜視図である。
【図３】（Ａ）は用紙綴じ込み用クリップの一部断面図であり、（Ｂ）は用紙綴じ込み用クリップの端面図である。
【図４】（Ａ）は用紙束のステープル針付近の斜視図であり、（Ｂ）は用紙束の端面図である。
【図５】用紙束を綴じた状態の装丁用ブックカバーの要部を示す端面図である。
【図６】薄い用紙束を綴じた状態の装丁用ブックカバーの要部を示す端面図である。
【図７】用紙束を綴じた状態の装丁用ブックカバーの斜視図である。
【図８】（Ａ）は第２の実施形態に係る装丁用ブックカバーの用紙綴じ込み用クリップの斜視図であい、（Ｂ）はストッパーを係合する前の用紙綴じ込み用クリップの側面図であり、（Ｃ）はストッパーを係合した後の用紙綴じ込み用クリップの側面図である。
【符号の説明】
１０　　装丁用ブックカバー
１２　　用紙綴じ込み用クリップ
１４　　表表紙
１６　　裏表紙
１８　　クリップ本体
２０　　ストッパー
２２　　用紙束
４０　　ステープル針
４４　　連結部
【図１】
2004136589.tif 000003
【図２】
2004136589.tif 000004
【図３】
2004136589.tif 000005
【図４】
2004136589.tif 000006
【図５】
2004136589.tif 000007
【図６】
2004136589.tif 000008
【図７】
2004136589.tif 000009
【図８】
2004136589.tif 000010